(57)【特許請求の範囲】
【請求項１】
超微粒子のミストを生成するための横型のドライミスト発生装置であって、
内側に水を収容することが可能なケーシングと、
上記ケーシングに装着され、当該ケーシングに水を補給するためのカートリッジ式の水補給タンクと、
上記水補給タンクに設けられ、上記ケーシング内に収容される水の水位を一定レベルに保つためのチェックバルブと、
回転軸を備えたモーターと、
上記回転軸の途中部分に一体回転可能に設けられ、上記ケーシング内において一定水位に保たれた上記水に部分的に浸漬されるようになっているディスクと、
上記ディスクに形成され、孔および溝の少なくとも何れか一方から構成されており、当該ディスクを浸漬した状態で少なくとも一部分が液面下に位置し得るようになっているエッジと、
上記ディスクの外側に離隔して設けられたメッシュのケージと、
空気を上記ケーシング内に導くための吸引ファンと、
生成されたミストを、上記吸引ファンによって導かれた空気とともに排出するための排出口と、有しており、
上記回転軸とともに上記ディスクが回転した際には、一回転毎に当該ディスクに形成された上記エッジによって水がかき揚げられ、さらに、回転するディスクの遠心力による吹き飛ばし作用を介して、かき揚げられた水がミスト化され、
さらに、吹き飛ばされたミストは、上記メッシュのケージを通過することによって細粒化され、ほぼ０．１μｍの超微粒子から成るミストが生成されるようになっていることを特徴とする横型ドライミスト発生装置。
【請求項２】
上記ディスクは、上記回転軸の途中部分に一体回転可能に設けられた複数のディスクから構成されており、
上記複数のディスクは、相互に所定距離だけ離隔した状態で設けられており、
上記エッジは、上記複数のディスクのそれぞれに形成されていることを特徴とする請求項１記載の横型ドライミスト発生装置。
【請求項３】
上記ケーシングには、ラビリンス壁が形成されており、
上記メッシュのケージを通過することによって生成された上記ミストは、上記ラビリンス壁を経て上記排出口から排出されるようになっていることを特徴とする請求項１又は２記載の横型ドライミスト発生装置。
【発明の詳細な説明】
【０００１】
【発明の属する技術分野】
開示技術は、加湿装置、及び、空気清浄装置の構造の技術分野に属する。
【０００２】
【従来の技術】
周知の如く、一般家庭にあっては、部屋の乾燥状態を防止したり、また、空気清浄のために季節によって異常発生する花粉や細菌類の閉込め防止を図るべく、ミスト発生装置を用いている。通常、該種ミスト発生装置は超音波タイプのものが多く、また、発生するミストの粒径は５０μｍ等の大粒径が多い。
【０００３】
従来、過剰にミスト発生をすると、部屋は隅々に亘って過飽和になりはするものの、その粒径が大きいが為に濡れ性が大であり、家財道具や建築物の壁面において濡れが容易に発生し、また、湿度が増大するという欠点があった。また、該粒径のために、花粉や細菌類を閉込める能力が乏しく、場合によってはミストを介して、ばらまくという難点があった。
【０００４】
これに対処するに、超音波タイプに変えて、機械式のミスト発生装置がその低電力や静粛性の故に、注目を浴びるようになり、近時、該種機械的なミスト発生装置が散見されるようにはなってはいる。たとえば、そのセットのし易さや取扱い等の利便性を考慮して、図２に示すような縦型のミスト発生装置１が提供されている。
【０００５】
図２に示す縦型のミスト発生装置１は、ケーシング２の側面側に水補給タンク３を備えており、当該水補給タンク３によってケーシング２内に水５が自動的に補給されるようになっている。ケーシング２の下部には、モーター６が設けられている。当該モーター６の回転軸にはコーン型のローター７が連結されており、当該ローター７の表面には、その外径に沿ったノッチ８が刻設してある。
【０００６】
ローター７には、回転軸７´に固定された細メッシュ（細径メッシュのケージ）９が装備してあり、当該細メッシュ９はローター７と共に自動的に回転するようになっている。さらに、細メッシュ９の外側には、所定微小距離離隔して、大メッシュ（大径メッシュのケージ）１０が設置してある。
【０００７】
上記構成を有するミスト発生装置１において、ローター７を回転させることによって水５を攪拌し、ノッチ８で水をかき揚げると、細メッシュ９によりミストが形成される。さらに、その遠心力を利用して、外側の大メッシュ１０を介して完全にミスト化される。そして、ケーシング２の上部に形成された吸引口１１から吸入する空気を、回転軸７´と共に一体回転するファン１２により送風することによって、大メッシュ１０を通過したミストを、ケーシング２の上部側部に設けた排出口１３から所定に排出する。
【０００８】
しかしながら、かかる在来タイプの縦型のミスト発生装置１にあっては、ミスト発生量を大きくするためのスケールアップに対して、ローター７を大きくする必要があるなど装置全体が大きくなるという欠点があった。また、下部にモーター６を配置する必要があるため、ケーシング２内の水５を止水するためのシール１４が必要となるという難点があった。
【０００９】
而して、前記の超音波やスペルノズルタイプのミスト発生装置にあっては形成されるミストの粒径が５０μｍと大きいために、過飽和が形成されても壁面等に付着して、べたつきが生じ、又、花粉等や細菌類の補足現象が不十分であるという不都合さがあった。
【００１０】
【発明が解決しようとする課題】
上述した従来技術の問題点に鑑み、この出願の発明の目的は、超音波タイプのミスト発生装置の低電力低静粛性の利点を生かしながらも、そのミストの粒径の誤差が大き過ぎ、過飽和による液濡れ性が生じ、花粉や細菌類の補足率が悪い等の問題点を解決すべき技術的課題とし、低電力で低静粛性でありながら、取扱い性の利便性に優れ、操作性が良く、又、ミスト発生のメカニズムも殆ど変わらず、極めて容易に操作ができ、故障等も生ぜず、メンテナンスフリーであって、使い勝手が良いようにして、備品産業における加湿及び空気清浄技術利用分野に益する優れた横型ドライミスト発生装置を提供せんとするものである。
【００１１】
【課題を解決するための手段】
（１）  上記目的を達成するために、本発明に係る装置は、超微粒子のミストを生成するための横型のドライミスト発生装置であって、
内側に水を収容することが可能なケーシングと、
上記ケーシングに装着され、当該ケーシングに水を補給するためのカートリッジ式の水補給タンクと、
上記水補給タンクに設けられ、上記ケーシング内に収容される水の水位を一定レベルに保つためのチェックバルブと、
回転軸を備えたモーターと、
上記回転軸の途中部分に一体回転可能に設けられ、上記ケーシング内において一定水位に保たれた上記水に部分的に浸漬されるようになっているディスクと、
上記ディスクに形成され、孔および溝の少なくとも何れか一方から構成されており、当該ディスクを浸漬した状態で少なくとも一部分が液面下に位置し得るようになっているエッジと、
上記ディスクの外側に離隔して設けられたメッシュのケージと、
空気を上記ケーシング内に導くための吸引ファンと、
生成されたミストを、上記吸引ファンによって導かれた空気とともに排出するための排出口と、有しており、
上記回転軸とともに上記ディスクが回転した際には、一回転毎に当該ディスクに形成された上記エッジによって水がかき揚げられ、さらに、回転するディスクの遠心力による吹き飛ばし作用を介して、かき揚げられた水がミスト化され、
さらに、吹き飛ばされたミストは、上記メッシュのケージを通過することによって細粒化され、ほぼ０．１μｍの超微粒子から成るミストが生成されるようになっている。
【００１２】
（２）  上記（１）記載の横型ドライミスト発生装置において、好ましくは、上記ディスクは、上記回転軸の途中部分に一体回転可能に設けられた複数のディスクから構成されており、
上記複数のディスクは、相互に所定距離だけ離隔した状態で設けられており、
上記エッジは、上記複数のディスクのそれぞれに形成されている。
【００１３】
（３）  上記（１）又は（２）記載の横型ドライミスト発生装置において、好ましくは、上記ケーシングには、ラビリンス壁が形成されており、
上記メッシュのケージを通過することによって生成された上記ミストは、上記ラビリンス壁を経て上記排出口から排出されるようになっている。
【００１４】
【作用】
上述した構成を有する横型ドライミスト発生装置においては、ミストを発生させるために、まず、着脱自在のカートリッジ式水補給タンクを、ケーシングの側部に備え付ける。これにより、水補給タンクから補給される水によって、ケーシング内の水位が常に一定に保たれることとなる。
【００１５】
次いで、上記水位レベルにおいてモーターの回転軸に固定した所定間隔の複数枚のディスクを回転させ、回転毎に水を巻き上げる。これにより、複数のディスクのそれぞれに形成された孔，溝により遠心力を介して、水がミスト化する。さらに、ディスクの外側に設けたケージにより０．１μｍのミストを生成する。生成された超微粒子のミストは、ラビリンス壁を介して排出される。超微粒子により事物に付着しても過飽和でありながら、直ちに乾燥し、べたつかず、又、花粉等や細菌類を補足し、衛生状態が現出されるようにしたものである。
【００１６】
【発明の実施の形態】
次に、この出願の発明の実施しようとする形態を実施例の態様として図１に基づいて説明すれば以下の通りである。
【００１７】
なお、図２以下と同一形態部分は同一符号を用いて説明するものとする。
【００１８】
図１において、符号１´は、この出願の発明に係る横型ドライミスト発生装置を示している。この横型ドライミスト発生装置１´において、ケーシング２の底面は排水し易いように片流れ式に形成されている。水補給タンク３は、交換自在のカートリッジ式タイプのタンクであり、ケーシング２に装填されるようになっている。この水補給タンク３は、ケーシング２の水面５を一定のレベルに常時保つための周公知のチェックバルブ４を有している。
【００１９】
ケーシング２を貫通するモーター６からの回転軸６´は、ケーシング２を貫通している。この回転軸６´の中途部分においては、図１に示すように、複数のディスク１７が相互に所定距離だけ離隔した状態で併設されている。当該複数のディスク１７のそれぞれには、水巻上げ用の孔８ａおよび溝８ｂが形成されている。また、複数のディスク１７は、それぞれ、水５中に一部分浸漬しており、孔８ａ、又は、溝８ｂの一部分が水５の液面下にあるようにされている。
【００２０】
そして、モーター６の駆動に伴って回転軸６´が回転すると、各ディスク１７に形成された水巻上げ用孔８ａ、溝８ｂ等のエッジ８によって、水がかき揚げられ、さらに、回転するディスク１７の遠心力による吹飛ばし作用を介して、エッジ８にてミスト化できるようにされている。
【００２１】
なお、エッジ８は図示状態では各ディスク１７に形成されているようにされているが、該各ディスク１７の外側に別体的に装備するようにする態様も採用可能である。
【００２２】
而して、ケーシング２の内部において、各ディスク１７の外側（すなわち、エッジ８の外側）には、大メッシュ（大径メッシュのケージ）１０が隔離して設けられており、さらに、ラビリンス壁１９が形成されている。
【００２３】
なお、ラビリンス壁１９の一部は、モーター６の回転軸６´のカバー部分１５によって規定されている。
【００２４】
回転軸６´の先端部には吸引ファン１２が設けられており、当該吸引ファン１２は、ケーシング２の片側に形成された吸引口１１に位置するようになっている。各ディスク１７のエッジ８（孔８ａおよび溝８ｂ）は、１回転毎に水５を巻上げてミスト化し、さらに、大メッシュ１０においてレナード効果により完全に細粒化される。次いで、ミストは、吸引口１１から吸引された空気とともに、ラビリンス壁１９を経て排出口１３から排出されるようにされている。
【００２５】
上述構成において、水補給タンク３から補給された水は、各ディスク１７により巻上げられて攪拌擾乱され、さらに、エッジ８（孔８ａおよび溝８ｂ）およびメッシュ１０により完全に細粒径ミスト（粒径：０．１μｍ）となる。そして、当該ミストは、ラビリンス壁１９を経て排出口１３から部屋等に排出されるが、当該ミストは過飽和状態でも１００％を超えて、１１０％等の過飽和状態にあるが、上述構成により、細粒径されているため、その表面積は大きく、付着する事物による帯熱により、直ちに蒸発され、ミストとされた過飽和状態となるために、じめじめした液濡れ状態は現出されず、湿度現出は過飽和ながら、最適に保持され、且つ、０．１μｍの水ミストは、空気のビタミンといえるマイナスイオンがおおく帯電するため、活適な状態になる。
【００２６】
また、季節により花粉等や細菌類が繁殖するような状態にあっても、細粒径化したミスト（０．１μｍ）の微粒子にはダスト等は介入せず、水５の中に水フィルタ−としてダスト等を取り囲んで容易に補足し、それらの蔓延を防止することができる。
【００２７】
なお、水補給タンク３内の水５内に芳香剤等を混入し、アルカリ性の水等にしておくことにより、健康にも良いものであり、水補給タンク３の水５は一種の機能水として補給すれば充分に機能するものである。
【００２８】
最後に、この出願の発明の実施形態は上述実施例に限るものでないことは勿論であり、例えば、家庭外の工業所の工作室等の狭小な作業空間に設置するなど種々の態様が採用可能である。
【００２９】
【発明の効果】
以上、この出願の発明によれば、低電力で小粒径で湿度の高いドライミスト発生装置が現出され、使い勝手が良く、操作性が極めて良いという優れた効果が奏される。
【００３０】
だが、形成されるミストの粒径は超微粒子であるために、排出口から排出されても部屋の事物に帯熱蒸発して、オーバーな過飽和による液濡れ性が現出されず、直ちに事物に付着し、帯熱し、蒸発し、適宜に湿度を保つ過飽和を現出できるという優れた効果が奏される。
【００３１】
過飽和は１００％を超えて、例えば、１１０％にもなり、適度の湿度を付与すると共に、ミスト分を増すのみならず、付着してべとつかず該ドライミストとしての機能を発揮することができるという効果が奏され、又、小型であることにより、水補給タンク等も安定してセット、リセットができ、転倒などを防止でき、安定であるという効果が奏され、モーターから延出される回転軸に所定間隔を介して、所定枚数のディスクには水あげ用の水孔が設けられ、一回転毎に水を巻上げて、エッジを介し、メッシュのケージに与えて、これとの協働で完全にミスト化を図ることができるという優れた効果が奏される。
【図面の簡単な説明】
【図１】この出願の発明の１実施例の横断面図である。
【図２】従来技術に基づく縦型のミスト発生装置の縦断面図である。
【符号の説明】
１              縦型のミスト発生装置（従来技術）
１´            横型のドライミスと発生装置（本発明）
２              ケーシング
３              水補給タンク
５              水
６              モーター
６´            回転軸
７              ローター
７´            回転軸
８              エッジ
８ａ            孔
８ｂ            溝
９              細メッシュ（細径メッシュのケージ）
１０            大メッシュ（大径メッシュのケージ）
１１            吸引口
１２            吸引ファン
１３            排出口
１４            シール
１５            カバー部分
１７            ディスク
１９            ラビリンス壁
【図１】
0003558270.tif 000002
【図２】
0003558270.tif 000003